(57)【要約】【課題】デザイン性の自由度を向上させることができる装身具を提供する。【解決手段】一対の端部１１を有し、負荷のない状態から径方向に押し広げられることにより大きい径をなす、弾性を有するリング部材１０と、リング部材１０を貫通させる孔２１を有し、リング部材１０を周方向に覆う複数の外装部材２０と、を備える。各一対の端部１１寄りに配置された各外装部材２０ａ、２０ａは、リング部材１０に対して固定されており、隣り合う外装部材２０は、周方向周りの回転を互いに拘束する回転止め構造２３、２４を有する。【選択図】図３
0003228912.tif 000002
【実用新案登録請求の範囲】
【請求項１】
一対の端部を有し、負荷のない状態から径方向に押し広げられることにより大きい径をなす、弾性を有するリング部材と、
前記リング部材を貫通させる孔を有し、前記リング部材を周方向に覆う複数の外装部材と、を備え、
各前記一対の端部寄りに配置された各前記外装部材は、前記リング部材に対して固定されており、
隣り合う前記各外装部材は、前記周方向周りの回転を互いに拘束する回転止め構造を有する、装身具。
【請求項２】
前記回転止め構造は、一方の前記隣り合う各外装部材に設けられる凹部と、他方の前記隣り合う各外装部材に設けられる前記凹部と嵌まり合う凸部である、請求項１記載の装身具。
【請求項３】
前記一対の端部は、周方向に互いに重なり合う、請求項１または２記載の装身具。
【請求項４】
前記リング部材を貫通させる孔を有し、前記外装部材の間に配置される台座部材をさらに備える、請求項１から３のいずれか一項記載の装身具。
【請求項５】
前記外装部材は、外周面に装飾が施された、請求項１から４のいずれか一項記載の装身具。
【請求項６】
前記装身具は、指輪である、請求項１から５のいずれか一項記載の装身具。
【考案の詳細な説明】
【技術分野】
【０００１】  本考案は、径の調整が可能な装身具に関する。
【背景技術】
【０００２】  例えば、特許文献１には、サイズ直しすることなく異なるサイズの指に着用可能な、伸縮自在な指輪が開示されている。
【先行技術文献】
【特許文献】
【０００３】
【特許文献１】実用新案登録第３０２９６６１号公報
【考案の概要】
【考案が解決しようとする課題】
【０００４】  指輪のデザイン性を向上させるために、台座以外のショルダー部分やアーム部分にも装飾が施される場合がある。特許文献１の指輪のような、アーム部分にボールチェーンを用いているものは、このアーム部分が周方向に対して回転してしまうため、アーム部分に装飾を施すことが困難であった。【０００５】  本考案はこのような事情を考慮してなされたもので、デザイン性の自由度を向上させることができる装身具を提供することを目的とする。
【課題を解決するための手段】
【０００６】  本考案に係る装身具は、上述した課題を解決するために、一対の端部を有し、負荷のない状態から径方向に押し広げられることにより大きい径をなす、弾性を有するリング部材と、前記リング部材を貫通させる孔を有し、前記リング部材を周方向に覆う複数の外装部材と、を備え、各前記一対の端部寄りに配置された各前記外装部材は、前記リング部材に対して固定されており、前記隣り合う前記外装部材は、前記周方向周りの回転を互いに拘束する回転止め構造を有する。
【考案の効果】
【０００７】  本考案に係る装身具においては、デザイン性の自由度を向上させることができる。
【図面の簡単な説明】
【０００８】
【図１】指輪を台座部材側から見た全体斜視図。
【図２】指輪を使用者の指の挿入方向から見た図。
【図３】リング部材と外装部材の一部とを分解した説明図。
【図４】外装部材の回転止め構造を特に説明する図。
【図５】外装部材のリング部材に対する固定を説明するための図。
【考案を実施するための形態】
【０００９】  本考案に係る装身具の実施形態を添付図面に基づいて説明する。本実施形態においては、装身具の一例として、指輪である例を用いて説明する。
【００１０】  図１は、指輪１を台座部材３０側から見た全体斜視図である。
【００１１】  図２は、指輪１を使用者の指の挿入方向から見た図である。
【００１２】  図３は、外装部材２０を特に説明するためリング部材１０と外装部材２０の一部とを分解した説明図である。
【００１３】  指輪１は、リング部材１０と、複数の外装部材２０と、台座部材３０と、を有する。
【００１４】  リング部材１０は、弾性を有するリング状の部材である。リング部材１０は、弾性を有し、かつ指輪１の着脱などの使用に耐え得る剛性を有する材料であって、ステンレス鋼（例えばＳＵＳ３０４）、チタン、鉄、鋼などである。特に、リング部材１０は、肌や皮膚への害の低さ、リング部材１０に適した弾性、加工容易性、腐食性の観点から、ＳＵＳ３０４であることが好ましい。
【００１５】  リング部材１０は、周方向に互いに重なり合う、一対の端部１１、１１を有する。リング部材１０は、閉じた環状ではないことにより、負荷のない状態から径方向に押し広げられることにより大きい径をなすことができる。なお、端部１１、１１の重なり合いの量は、リング部材１０が最大径になった場合に、指輪１が使用者の指から抜け落ちないことを考慮して設定されるのが好ましい。
【００１６】  複数の外装部材２０は、リング部材１０を周方向に覆うことにより、リング部材１０を遮蔽し、指輪１の外観をなす。外装部材２０は、指輪１のデザイン性や商品性に応じた材料からなる。例えば、指輪１に高級感を持たせる場合には、プラチナや金などの高級感を有する材料からなる。外装部材２０は、リング部材１０を遮蔽するために必要な周方向長さおよび個数を有する。各外装部材２０は、孔２１と、凹部２３と、凸部２４と、を有する。
【００１７】  ここで、図４は、外装部材２０の回転止め構造を特に説明する図である。図５は、外装部材２０のリング部材１０に対する固定を説明するための図である。
【００１８】  孔２１は、リング部材１０を外装部材２０の内部に貫通させるための孔であり、リング部材１０の周方向に沿って両端を開口させて形成される。
【００１９】  凹部２３および凸部２４は、隣り合う外装部材２０において周方向周りの回転を互いに拘束するための回転止め構造として設けられる。凹部２３は、外装部材２０の一端側に孔２１と干渉しない位置に配置される。凸部２４は、外装部材２０の他端側に孔２１と干渉しない位置に配置される。凸部２４は、凹部２３と嵌まり合う形状を有する。これにより、隣り合う外装部材２０のうち、一方の外装部材２０に設けられる凹部２３と、他方の外装部材２０に設けられる凸部２４とは嵌まり合い、互いに回転しないようになっている。
【００２０】  複数の外装部材２０のうち、最もリング部材１０の各端部１１、１１寄りに配置された各外装部材２０ａ、２０ａは、リング部材１０に対して固定されている。各外装部材２０ａ、２０ａは、例えばレーザ溶接によって、リング部材１０に固定される。これにより、各外装部材２０ａ、２０ａは、リング部材１０に対する抜け止めとして機能する。溶接部分２５および端部１１、１１が露出しないよう、各外装部材２０ａ、２０ａのさらに端部１１、１１寄りには、キャップ２７、２７が配置される。
【００２１】  各外装部材２０は、リング部材１０（指輪１）に負荷のない状態においては互いの隙間が目立たず一体のリングのような外観を有し、かつ径方向に押し広げられる動作を阻害しない程度の隙間を有するように、配置されている。すなわち、指輪１の設計上の最大径までは、外装部材２０同士が抵触することにより径方向に押し広げられることが阻害されないように、所要の隙間を持って配置されている。
【００２２】  外装部材２０は、例えば鋳造により形成される。なお、鋳造により形成される場合、金型や孔２１の形成精度の都合上、図５に示すような窓２８が形成される。指輪１は、この窓２８を利用することにより、指輪１の超音波洗浄時において外装部材２０の内部まで洗浄できる点や、外装部材２０の軽量化が図れる点において、利点を有する。
【００２３】  台座部材３０は、指輪１のセンターストーンを配置するための台座となる部材である。台座部材３０は、例えば外装部材２０の間であって、略中間位置に配置され、指輪１の外観上最も目を引く部分となる。台座部材３０は、外装部材２０と同様、指輪１のデザイン性や商品性に応じた材料（例えば、プラチナ、金）からなる。台座部材３０は、リング部材１０を台座部材３０の内部に貫通させるための台座側孔３１を有する。台座側孔３１は、リング部材１０の周方向に沿って、両端を開口させて形成される。台座部材３０は、隣り合う外装部材２０の凸部２４と嵌まり合う形状を有する台座側凹部３３を有する。すなわち、各外装部材２０および台座部材３０は、凹部２３、凸部２４および台座側凹部３３で互いに嵌まり合うことにより連結して一体となり、リング部材１０に対しては回転しないようになっている。
【００２４】  このような指輪１は、デザイン性の自由度を向上させることかできる。すなわち、公知の伸縮自在な指輪は、径が伸縮する構造を有することに伴い、デザイン上の制約が課されたり、指輪の高級感を損ねたりする虞があった。これに対して、本実施形態における指輪１は、指輪１の径を伸縮させる機能はリング部材１０に持たせ、指輪１のデザインはリング部材１０を覆う外装部材２０に主に持たせることで、径が固定された一般的な指輪と遜色ない外観性を有することができる。
【００２５】  特に、指輪１は、外装部材２０が周方向において回転しないよう回転止め構造を有することにより、複数の外装部材２０からなるにも関わらず視覚的に一体のリングからなるような外観を有することができる。また、外装部材２０および台座部材３０がリング部材１０に対して回転しないため、外装部材２０の外周面２９にも装飾（図示せず）を施すことも可能である。例えば、指輪１の外装部材２０から構成されるショルダー部分やアーム部分においても、サイドストーンを配置するなどの装飾が可能である。よって、指輪１は、デザイン性の自由度を向上させることができる。
【００２６】  本考案のいくつかの実施形態を説明したか、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【００２７】  例えば、装身具は、指輪１以外のバングル（ブレスレット）やアンクレット、チョーカー（ネックレス）、イヤリングなどであってもよい。
【００２８】  端部１１、１１が重なり合う例を説明したが、重なり合うことは必須ではない。外装部材２０ａは、キャップ２７と一体であってもよい。この場合、リング部材１０の端部１１は外装部材２０ａを貫通せず、端部１１が外装部材２０ａの孔２１内で固定されることなどにより外装部材２０ａは抜け止めとしてリング部材１０に固定される。
【符号の説明】
【００２９】１  指輪
１０  リング部材
１１  端部
２０、２０ａ  外装部材
２１  孔
２３  凹部
２４  凸部
２５  溶接部分
２７  キャップ
２８  窓
２９  外周面
３０  台座部材
３１  台座側孔
３３  台座側凹部
【図１】
0003228912.tif 000003
【図２】
0003228912.tif 000004
【図３】
0003228912.tif 000005
【図４】
0003228912.tif 000006
【図５】
0003228912.tif 000007